(57)【要約】【課題】縦枠内部に浸入する雨水を排水でき、かつ、縦枠の変形を抑制しつつ躯体の層間変位に追従できる建具構造を提供すること。【解決手段】建具構造１では、扉枠２０は、略水平に延びる沓摺り２１および上枠２２と、沓摺り２１と上枠２２とを連結して略鉛直方向に延びる一対の縦枠２３Ａ、２３Ｂと、を備える。沓摺り２１は、壁開口１０の切欠き部１１に固定され、上枠２２は、壁開口１０の上辺縁１２に固定され、縦枠２３Ａ、２３Ｂは、壁開口１０の側辺縁１３Ａ、１３Ｂに固定されることなく、壁開口の切欠き部１１および上辺縁１２に固定される。縦枠２３Ａ、２３Ｂは、鉛直方向に延びて沓摺り２１の上面に接合される内側縦枠５０と、鉛直方向に延びて内側縦枠５０に沿って設けられて沓摺り２１の側端面を覆う外側縦枠５１と、を備える。【選択図】図３
2018145645.tif 000002
【特許請求の範囲】
【請求項１】
矩形状の壁開口に設けられる矩形状の扉枠と、当該扉枠に開閉可能に設けられた扉と、を備える建具の構造であって、
前記扉枠は、略水平に延びる沓摺りおよび上枠と、当該沓摺りと当該上枠とを連結して略鉛直方向に延びる一対の縦枠と、を備え、
前記沓摺りは、前記壁開口の下辺縁に固定され、
前記上枠は、前記壁開口の上辺縁に固定され、
前記縦枠は、前記壁開口の側辺縁に固定されることなく、前記壁開口の下辺縁および上辺縁に固定され、
前記縦枠は、鉛直方向に延びて前記沓摺りの上面に接合される内側縦枠と、鉛直方向に延びて当該内側縦枠に沿って設けられて前記沓摺りの側端面を覆う外側縦枠と、を備えることを特徴とする建具構造。
【請求項２】
前記縦枠は、鉛直方向に延びて前記内側縦枠と前記外側縦枠との間に設けられた補強部材をさらに備えることを特徴とする請求項１に記載の建具構造。
【請求項３】
前記縦枠の下端部の屋内側の側面には、当該縦枠の内部にモルタルを詰めるための開口が形成されていることを特徴とする請求項１または２に記載の建具構造。
【発明の詳細な説明】
【技術分野】
【０００１】
本発明は、建具構造に関する。
【背景技術】
【０００２】
従来より、壁躯体の下部の床面付近に水平方向の構造スリットが形成されており、さらにこの壁開口に鋼製建具が取り付けられる場合がある。
この構造スリットは、地震時に、構造スリットの上側の躯体（以下、上部躯体と呼ぶ）が構造スリットの下側の部分（以下、下部躯体と呼ぶ）に対して水平移動し、地震時の挙動に追従するものである。
【０００３】
鋼製建具は、例えば、略平行に配置された一対の縦枠と、この一対の縦枠の上端部同士を連結する上枠と、一対の縦枠の下端部同士を連結する沓摺りと、を備える。
【０００４】
ここで、沓摺りはステンレスで形成され、縦枠はスチールで形成されるが、縦枠と沓摺りとの接合部分では、横通しとなっている。横通しとは、横部材である沓摺りの上面に縦枠が当接する納まりである。その理由は、次の通りである。すなわち、縦枠を沓摺りに溶接すると、ステンレス製である沓摺りに焼き色が出てしまうため、沓摺りと縦枠とを強固に溶接できず、沓摺りと縦枠との間には微細な隙間が生じる。この隙間から、沓摺りと縦枠との接合部分に雨水が浸入するが、この雨水を沓摺りの上面に流して外部に排出するため、横通しとしている。
【０００５】
このような鋼製建具を構造スリットの近傍に設ける場合、例えば、縦枠フリー方式を採用することが考えられる。
縦枠フリー方式とは、上枠と沓摺りのみを固定し、縦枠を固定しないことで、鋼製建具を構造スリットによる層間変位に追従可能とするものである。
【０００６】
例えば、非特許文献１には、アルミ製窓について、縦枠フリー方式を採用することが示されており、このアルミ製窓と同様に、鋼製建具についても縦枠フリー方式を採用できると考えられる。
【０００７】
しかしながら、このような縦枠フリー方式を採用する鋼製建具に採用するに当たり、次のような問題があった。つまり、躯体の層間変位が生じると、縦枠と躯体との間に打設されたシーリング材が変形し、圧縮されたシーリング材の圧力により縦枠が押されて変形してしまう。よって、縦枠の剛性を確保する必要があった。
【０００８】
この問題を解決するため、縦枠と沓摺りとの接合部分において、横通しではなく、縦枠通しとすることが考えられる。
特許文献１には、縦枠通しとした鋼製建具の構造が示されている。縦枠通しとは、縦枠の側面に横部材である沓摺りが当接する納まりである。このような縦枠通しとすれば、縦枠の剛性を確保できる。
【先行技術文献】
【非特許文献】
【０００９】
【非特許文献１】構造スリット施工管理マニュアル、社団法人建築業協会発行（ＢＣＳ）、２００１年１０月発行、２８ページ
【特許文献】
【００１０】
【特許文献１】特開２００８−２０８６０１号公報
【発明の概要】
【発明が解決しようとする課題】
【００１１】
しかしながら、鋼製建具を縦枠通しとした場合、上述のように、沓摺りと縦枠との隙間から縦枠内部に雨水が浸入し、この雨水を外部に排出できない、という問題が生じる。
【００１２】
本発明は、縦枠内部に浸入する雨水を排水でき、かつ、縦枠の変形を抑制して躯体の層間変位に追従できる建具構造を提供することを目的とする。
【課題を解決するための手段】
【００１３】
請求項１に記載の建具構造（例えば、後述の建具構造１）は、矩形状の壁開口（例えば、後述の壁開口１０）に設けられる矩形状の扉枠（例えば、後述の扉枠２０）と、当該扉枠に開閉可能に設けられた扉（例えば、後述の扉３０）と、を備える建具の構造であって、前記扉枠は、略水平に延びる沓摺り（例えば、後述の沓摺り２１）および上枠（例えば、後述の上枠２２）と、当該沓摺りと当該上枠とを連結して略鉛直方向に延びる一対の縦枠（例えば、後述の縦枠２３Ａ、２３Ｂ）と、を備え、前記沓摺りは、前記壁開口の下辺縁（例えば、後述の切欠き部１１）に固定され、前記上枠は、前記壁開口の上辺縁（例えば、後述の上辺縁１２）に固定され、前記縦枠は、前記壁開口の側辺縁（例えば、後述の側辺縁１３Ａ、１３Ｂ）に固定されることなく、前記壁開口の下辺縁および上辺縁に固定され、前記縦枠は、鉛直方向に延びて前記沓摺りの上面に接合される内側縦枠（例えば、後述の内側縦枠５０）と、鉛直方向に延びて当該内側縦枠に沿って設けられて前記沓摺りの側端面を覆う外側縦枠（例えば、後述の外側縦枠５１）と、を備えることを特徴とする。
【００１４】
この発明によれば、縦枠を、沓摺りの上面に接合される内側縦枠と、内側縦枠に沿って設けられて沓摺りの側端面を覆う外側縦枠と、を含んで構成した。よって、内側縦枠と沓摺りとの隙間から縦枠の内部に雨水が浸入しても、この雨水は、沓摺りの上面を伝って外部に排出される。
【００１５】
また、地震時に建物の層間変位により壁が変位すると、扉枠が平行四辺形状に変形し、この層間変位に追従する。このとき、縦枠と壁開口との間に打設されたシーリング材が変形して、縦枠を押圧する。
このとき、本発明によれば、縦枠を内側縦枠と外側縦枠とを含んで構成したので、縦枠の剛性が向上し、このシーリング材の押圧力に抵抗するので、縦枠の変形を抑制できる。
また、内側縦枠の外側に外側縦枠を設け、この外側縦枠の下端を壁開口の下辺縁に固定したので、内側縦枠と沓摺りとの接合部が破断するのを防止できる。
【００１６】
請求項２に記載の建具構造は、前記縦枠は、鉛直方向に延びて前記内側縦枠と前記外側縦枠との間に設けられた補強部材（例えば、後述の補強部材５２）をさらに備えることを特徴とする。
【００１７】
この発明によれば、内側縦枠と外側縦枠との間に補強部材を設けたので、縦枠の剛性がさらに向上して、シーリング材の押圧力により確実に抵抗できる。
【００１８】
請求項３に記載の建具構造は、前記縦枠の下端部の屋内側の側面には、当該縦枠の内部にモルタルを詰めるための開口（例えば、後述の開口５４）が形成されていることを特徴とする。
【００１９】
この発明によれば、縦枠の下端部に設けた開口を通して、縦枠の内部にモルタルを詰めることで、このモルタルを沓摺り内に詰めたモルタルと一体化させて、縦枠下端部の下辺縁に対する固定度を向上できる。
【発明の効果】
【００２０】
本発明によれば、縦枠内部に浸入する雨水を排水でき、かつ、縦枠の変形を抑制しつつ躯体の層間変位に追従できる。
【図面の簡単な説明】
【００２１】
【図１】本発明の一実施形態に係る建具構造の屋外側から視た正面図である。
【図２】図１のＡ−Ａ断面図である。
【図３】図１のＢ−Ｂ断面図である。
【図４】前記実施形態に係る建具構造の縦枠の構造を示す横断面図である。
【図５】図３のＣ−Ｃ矢視図である。
【図６】図３のＤ−Ｄ矢視図である。
【図７】図３のＥ−Ｅ断面図である。
【図８】前記実施形態に係る建具構造の動作を説明するための模式図（その１）である。
【図９】前記実施形態に係る建具構造の動作を説明するための模式図（その２）である。
【発明を実施するための形態】
【００２２】
以下、本発明の一実施形態について、図面を参照しながら説明する。
図１は、本発明の一実施形態に係る建具構造１の屋外側から視た正面図である。
【００２３】
建具構造１は、建物の屋内と屋外とを仕切る鉄筋コンクリート造の壁２の壁開口１０に設けられ、屋内側の空間と屋外側の空間との間で往来可能とするものである。
壁開口１０は矩形状であり、この壁開口１０の下端部が切り欠かれて切欠き部１１が形成されている。よって、壁開口１０は、下辺縁となる切欠き部１１、上辺縁１２、側辺縁１３Ａ、１３Ｂ、で構成される。
【００２４】
建具構造１は、壁開口１０に設けられる矩形状の扉枠２０と、この扉枠に開閉可能に設けられた扉３０と、を備える。
扉枠２０は、略水平に延びる沓摺り２１および上枠２２と、これら沓摺り２１と上枠２２とを連結して略鉛直方向に延びる一対の縦枠２３Ａ、２３Ｂと、を備える。
【００２５】
壁２の下端側には、略水平に延びて壁開口１０を通る構造スリットとしての横スリット５が設けられている。以下、壁２のうち横スリット５よりも下側の部分を、下部躯体２Ａとし、横スリット５よりも上側の部分を、上部躯体２Ｂとする。すると、上部躯体２Ｂは、下部躯体２Ａに対して水平方向に相対移動可能となっている。
【００２６】
壁開口１０の切欠き部１１には、所定間隔おきに溶接用アンカー１４が打ち込まれており、沓摺り２１は、この溶接用アンカー１４に溶接固定されている。
壁開口１０の上辺縁１２には、所定間隔おきに溶接用アンカー１５が打ち込まれており、上枠２２は、この溶接用アンカー１５に溶接固定されている。
【００２７】
壁開口１０の切欠き部１１の両側の入隅部には、溶接用アンカー１６Ａ、１６Ｂが一対ずつ打ち込まれており、縦枠２３Ａ、２３Ｂの下端部は、この溶接用アンカー１６Ａ、１６Ｂに溶接固定されている。
壁開口１０の上辺縁１２の両側の入隅部には、溶接用アンカー１７Ａ、１７Ｂが一対ずつ打ち込まれており、縦枠２３Ａ、２３Ｂの上端部は、この溶接用アンカー１７Ａ、１７Ｂに溶接固定されている。
つまり、縦枠２３Ａ、２３Ｂは、壁開口１０の側辺縁１３Ａ、１３Ｂには固定されておらず、壁開口１０の切欠き部１１および上辺縁１２にのみ固定されている。
【００２８】
また、沓摺り２１、上枠２２、縦枠２３Ａ、２３Ｂと壁開口１０との隙間には、二重シーリング１８が打設されている。
【００２９】
図２は、図１のＡ−Ａ断面図である。図３は、図１のＢ−Ｂ断面図である。
沓摺り２１の内部および沓摺り２１と切欠き部１１との間の隙間には、モルタルが詰められて、トロ詰め部４０が形成されている。また、上述の二重シーリング１８は、沓摺り２１と切欠き部１１との隙間のうち屋外に面する部分に打設されている。
【００３０】
上枠２２の内部および上枠２２と上辺縁１２との間の隙間には、モルタルが詰められて、トロ詰め部４１が形成されている。また、上述の二重シーリング１８は、上枠２２と上辺縁１２との隙間のうち屋外に面する部分、つまり、上枠２２の水切り２４と上辺縁１２との隙間に打設されている。
【００３１】
図４は、縦枠２３Ａの構造を示す横断面図である。図５は、図３のＣ−Ｃ矢視図である。図６は、図３のＤ−Ｄ矢視図である。図７は、図３のＥ−Ｅ断面図である。
以下、縦枠２３Ａの構造について説明するが、縦枠２３Ｂについても、縦枠２３Ａと同様の構成である。
【００３２】
縦枠２３Ａは、鉛直方向に延びて沓摺り２１の上面に接合される内側縦枠５０と、鉛直方向に延びて内側縦枠５０に沿って設けられて沓摺り２１の側端面を覆う外側縦枠５１と、鉛直方向に延びて内側縦枠５０と外側縦枠５１との間に設けられた補強部材５２と、を備える。
内側縦枠５０は、断面略コの字形状の板材であり、縦枠２３Ａの扉３０側の部分を構成する。外側縦枠５１は、断面略コの字形状の板材であり、縦枠２３Ａの壁２側の部分を構成する。補強部材５２は、断面略コの字形状の板材であり、内側縦枠５０と外側縦枠５１とを連結する。
【００３３】
外側縦枠５１の下端縁の屋内側の側面には、開口５４が形成されている。また、補強部材５２の下端縁には、内側縦枠５０の内部と外側縦枠５１の内部とを連通する開口５５が形成されている。
この開口５４、５５を通して、外側縦枠５１の屋内側から、内側縦枠５０および外側縦枠５１の内部にモルタルが詰められて、トロ詰め部４０と一体化されている。
【００３４】
また、内側縦枠５０の下端縁と外側縦枠５１の下端縁との間には、板状のブリッジ５６が取り付けられている。このブリッジ５６は、切欠き部１１の底面に打ち込まれた溶接用アンカー１６Ａに溶接固定されている。
【００３５】
以上の建具構造１の地震時の動作は、以下のようになる。
まず、初期状態では、図１に示すように、扉枠２０の上枠２２、縦枠２３Ａ、２３Ｂ、および沓摺り２１は、矩形枠状となっている。上枠２２は、壁開口１０の上辺縁１２に固定され、沓摺り２１は、壁開口１０の切欠き部１１に固定されている。また、縦枠２３Ａ、２３Ｂ上端部は、壁開口１０の上辺縁１２に固定され、縦枠２３Ａ、２３Ｂの下端は、壁開口１０の切欠き部１１に固定されているが、縦枠２３Ａ、２３Ｂは、壁開口１０の側辺縁１３Ａ、１３Ｂには固定されていない。
【００３６】
地震時に、図８に示すように、上部躯体２Ｂが下部躯体２Ａに対して面内で水平方向に変位すると、扉枠２０が平行四辺形枠状に変形する。このとき、縦枠２３Ａ、２３Ｂと壁開口１０との間に打設された二重シーリングのシーリング材Ｓが変形して、特に図８中白抜き矢印で示すように、シーリング材Ｓの大きく圧縮された部分が、縦枠２３Ａ、２３Ｂを強く押圧する。しかし、縦枠２３Ａ、２３Ｂを、内側縦枠５０と外側縦枠５１とを含んで構成したので、このシーリング材Ｓの押圧力に抵抗できる。
【００３７】
また、内側縦枠５０は沓摺り２１の上面に接合されているため、外側縦枠５１を設けない場合、図９（ａ）に示すように、シーリング材Ｓの押圧力が作用すると、内側縦枠５０と沓摺り２１との接合部が破断するおそれがある。しかしながら、本発明では、図９（ｂ）に示すように、内側縦枠５０の外側に外側縦枠５１を設け、この外側縦枠５１の下端を切欠き部１１の溶接用アンカー１６Ａに固定した。よって、シーリング材Ｓの押圧力が作用した際、内側縦枠５０と沓摺り２１との接合部の破断が防止される。
【００３８】
本実施形態によれば、以下のような効果がある。
（１）縦枠２３Ａ、２３Ｂを、沓摺り２１の上面に接合される内側縦枠５０と、内側縦枠５０に沿って設けられて沓摺り２１の側端面を覆う外側縦枠５１と、を含んで構成した。よって、内側縦枠５０と沓摺り２１との隙間から縦枠２３Ａ、２３Ｂの内部に雨水が浸入しても、この雨水は、沓摺り２１の上面を伝って外部に排出される。
【００３９】
また、地震時に建物の層間変位により壁２が変位すると、扉枠２０が平行四辺形状に変形し、この層間変位に追従する。このとき、縦枠２３Ａ、２３Ｂと壁開口１０との間に打設されたシーリング材Ｓが変形して、縦枠２３Ａ、２３Ｂを押圧する。
しかしながら、縦枠２３Ａ、２３Ｂを内側縦枠５０と外側縦枠５１とを含んで構成したので、縦枠２３Ａ、２３Ｂの剛性が向上し、このシーリング材Ｓの押圧力に抵抗するので、縦枠２３Ａ、２３Ｂの変形を抑制できる。また、内側縦枠５０の外側に外側縦枠５１を設け、この外側縦枠５１の下端を切欠き部１１の溶接用アンカー１６Ａに固定したので、内側縦枠５０と沓摺り２１との接合部が破断するのを防止できる。
【００４０】
（２）内側縦枠５０と外側縦枠５１との間に補強部材５２を設けたので、縦枠２３Ａ、２３Ｂの剛性がさらに向上して、シーリング材Ｓの押圧力により確実に抵抗できる。
【００４１】
（３）縦枠２３Ａ、２３Ｂの屋内側に設けた開口５４、５５を通して、縦枠２３Ａ、２３Ｂの内部にモルタルを詰めることで、このモルタルを沓摺り２１内に詰めたモルタルと一体化させて、縦枠２３Ａ、２３Ｂの下端部の壁開口１０の切欠き部１１に対する固定度を向上できる。
【００４２】
なお、本発明は前記実施形態に限定されるものではなく、本発明の目的を達成できる範囲での変形、改良等は本発明に含まれるものである。
【符号の説明】
【００４３】
１…建具構造  ２…壁  ２Ａ…下部躯体  ２Ｂ…上部躯体  ５…横スリット
１０…壁開口  １１…切欠き部  １２…上辺縁  １３Ａ、１３Ｂ…側辺縁
１４、１５、１６Ａ、１６Ｂ、１７Ａ、１７Ｂ…溶接用アンカー
１８…二重シーリング
２０…扉枠  ２１…沓摺り  ２２…上枠  ２３Ａ、２３Ｂ…縦枠  ２４…水切り
３０…扉  ４０、４１…トロ詰め部
５０…内側縦枠  ５１…外側縦枠  ５２…補強部材  ５４、５５…開口
５６…ブリッジ
【図１】
2018145645.tif 000003
【図２】
2018145645.tif 000004
【図３】
2018145645.tif 000005
【図４】
2018145645.tif 000006
【図５】
2018145645.tif 000007
【図６】
2018145645.tif 000008
【図７】
2018145645.tif 000009
【図８】
2018145645.tif 000010
【図９】
2018145645.tif 000011